(57)【要約】【課題】  本発明は、エレベーターを設置する前に、エレベーターの昇降路内の寸法を自動計測し、作業者の労力を低減する昇降路内計測システムを提供する。【解決手段】  本発明の昇降路内計測システムは、エレベーターの昇降路の天井又は上部の構造物に設置され、最下部に向けてレーザー光を照射する基準レーザー装置と、昇降路内の水平方向の寸法を計測する平面計測装置を有する移動計測装置と、昇降路の天井又は上部の構造物に設置され、移動計測装置を昇降させる移動装置と、を有し、移動計測装置は、基準レーザー装置から照射されるレーザー光を検出する基準レーザー検出装置と、自身の姿勢を検出する姿勢検出装置と、を有することを特徴とする。【選択図】図１
2020059568.tif 000002
【特許請求の範囲】
【請求項１】
エレベーターの昇降路の天井又は上部の構造物に設置され、最下部に向けてレーザー光を照射する基準レーザー装置と、前記昇降路内の水平方向の寸法を計測する平面計測装置を有する移動計測装置と、前記昇降路の天井又は上部の構造物に設置され、前記移動計測装置を昇降させる移動装置と、を有し、前記昇降路内の寸法を計測する昇降路内計測システムであって、
前記移動計測装置は、前記基準レーザー装置から照射されるレーザー光を検出する基準レーザー検出装置と、自身の姿勢を検出する姿勢検出装置と、を有することを特徴とする昇降路内計測システム。
【請求項２】
請求項１に記載の昇降路内計測システムであって、
前記平面計測装置、前記基準レーザー検出装置および前記姿勢検出装置から得られる計測データに基づいて、前記昇降路内の寸法を演算する演算装置を有することを特徴とする昇降路内計測システム。
【請求項３】
請求項１に記載の昇降路内計測システムであって、
前記基準レーザー装置は、昇降路の天井又は上部の構造物から紐にて懸架された基準レーザー把持部と、前記基準レーザー把持部に設置された基準レーザー照射器と、前記基準レーザー把持部から複数の紐で懸架され、中心部に開口部がある錘と、を有することを特徴とする昇降路内計測システム。
【請求項４】
請求項１に記載の昇降路内計測システムであって、
前記移動装置は、昇降路の天井又は上部の構造物に設置された巻上機と、前記巻上機に接続され、前記移動計測装置を懸架する紐と、を有し、
前記巻上機は、前記紐を巻上げる、または、送出することにより、前記移動計測装置を昇降移動することを特徴とする昇降路内計測システム。
【請求項５】
請求項１に記載の昇降路内計測システムであって、
前記平面計測装置は、レーザー光を照射し、水平方向の前記昇降路内の距離を測定する距離測定手段と、前記距離測定手段のレーザー光の光軸を水平方向に走査させる回転手段とを有することを特徴とする昇降路内計測システム。
【請求項６】
請求項１に記載の昇降路内計測システムであって、
前記移動計測装置は、昇降路内の壁面に接触する接触装置を有し、
前記昇降路内に設置された移動装置の紐の繰出し点を通る鉛直線上とは異なる位置に、前記紐で懸架された前記移動計測装置の重心位置が存在することを特徴とする昇降路内計測システム。
【請求項７】
請求項６に記載の昇降路内計測システムであって、
接触装置は、伸縮するアームと、昇降路内の壁面に対し２点以上で接触する接触部と、を有することを特徴とする昇降路内計測システム。
【請求項８】
請求項１に記載の昇降路内計測システムであって、
前記移動計測装置は、昇降路内の壁面に部品の設置位置を投影する装置を有することを特徴とする昇降路内計測システム。
【発明の詳細な説明】
【技術分野】
【０００１】
本発明は、エレベーターの昇降路内の寸法を計測する昇降路内計測システムに関する。
【背景技術】
【０００２】
日本、北米、欧州をはじめとする先進国では、少子高齢化に伴うエレベーターの据付作業者の減少が問題となっており、エレベーターの据付作業の省人化・省力化が求められている。現在、エレベーターの据付作業は、概ね手作業であり、作業者の熟練度によって、据付作業の時間は大きく異なる。エレベーターの昇降路内の寸法の計測や据付の基準座標の導出も、作業者の技能やノウハウを必要とする。
【０００３】
こうした本技術分野の背景技術として、特開２００７−２６１７９４号公報（特許文献１）がある。この公報には、かごの第１の基準点に設けられ昇降路の軸線方向にレーザー光を送出し、昇降路の天面から反射されたレーザー光を受け、昇降路の軸線上の第１の基準点の位置を測定する軸線方向位置測定部と、かごの第２の基準点に設けられ軸線に対して直交した方向にレーザー光を送出し、昇降路の内壁から反射されたレーザー光を受け、第２の基準点から内壁までの寸法を測定する奥行方向寸法測定部および間口方向寸法測定部と、昇降路内に設けられ鉛直方向にレーザー光を送出する鉛直スポットレーザー光装置と、かごに設けられレーザー光を受けた鉛直点の位置を測定する位置検出部と、鉛直点と第２の基準点との距離を算出するパソコンと、を備えているエレベーター寸法測定装置が記載されている（要約参照）。
【先行技術文献】
【特許文献】
【０００４】
【特許文献１】特開２００７−２６１７９４号公報
【発明の概要】
【発明が解決しようとする課題】
【０００５】
特許文献１には、かごが軸線に直交した方向にずれた寸法を測定するエレベーター寸法測定装置が記載されている。しかし、特許文献１に記載されるエレベーター寸法測定装置は、かごが軸線に直交した方向にずれた寸法を測定するものであり、エレベーターの保守点検時やリニューアル時を想定としたものである。そして、既存のエレベーターのかご上に測定装置を設置し、かご用レールに沿い、かごと共に測定装置が昇降し、エレベーターの昇降路内の寸法を測定するものである。
【０００６】
そこで、本発明は、エレベーターを設置する前に、エレベーターの昇降路内の寸法を自動計測し、作業者の労力を低減する昇降路内計測システムを提供する。
【課題を解決するための手段】
【０００７】
上記課題を解決するために、本発明の昇降路内計測システムは、エレベーターの昇降路の天井又は上部の構造物に設置され、最下部に向けてレーザー光を照射する基準レーザー装置と、昇降路内の水平方向の寸法を計測する平面計測装置を有する移動計測装置と、昇降路の天井又は上部の構造物に設置され、移動計測装置を昇降させる移動装置と、を有し、移動計測装置は、基準レーザー装置から照射されるレーザー光を検出する基準レーザー検出装置と、自身の姿勢を検出する姿勢検出装置と、を有することを特徴とする。
【発明の効果】
【０００８】
本発明によれば、エレベーターを設置する前に、エレベーターの昇降路内の寸法を自動計測し、作業者の労力を低減する昇降路内計測システムを提供することができる。
【０００９】
なお、上記した以外の課題、構成及び効果は、以下の実施例の説明により明らかにされる。
【図面の簡単な説明】
【００１０】
【図１】本実施例に係る昇降路内計測システムを説明する説明図である。
【図２】本実施例に係る昇降路を上方から俯瞰した説明図である。
【図３】本実施例に係る制御系統を説明する説明図である。
【図４】本実施例に係る作業フローを説明する説明図である。
【図５】実施例２に係る基準レーザー装置を説明する説明図である。
【図６】実施例３に係る昇降路内計測システムを説明する説明図である。
【図７】実施例４に係る作業指示システムを説明する説明図である。
【発明を実施するための形態】
【００１１】
以下、本発明の実施例を、図面を用いて説明する。なお、同一の構成には同一の符号を付し、説明が重複する場合は、その説明を省略する場合がある。
【実施例１】
【００１２】
図１は、本実施例に係る昇降路内計測システムを説明する説明図であり、４階床建屋（１階床２ａ、２階床２ｂ、３階床２ｃ、４階床２ｄ）のエレベーターの昇降路１の側面図である。
【００１３】
図１を用いて、本実施例に記載する昇降路内計測システム１０を説明する。
【００１４】
エレベーターの昇降路１内の寸法を計測する昇降路内計測システム１０は、主に、移動計測装置１００、移動装置（以下「巻上装置」として説明する）２００、基準レーザー装置３００の３つの装置にて構成される。
【００１５】
移動計測装置１００を昇降させる巻上装置２００と、昇降路１の上部から最下部に向けて鉛直にレーザー光１０９を照射する基準レーザー装置３００とは、昇降路１の天井又は上部の構造物に設置される。
【００１６】
移動計測装置１００は、巻上装置２００の紐２０２により係合され、懸架される。巻上装置２００の巻上機２０１が、紐２０２を巻上げる、または、送出することにより、移動計測装置１００は、昇降路１内を上下方向に昇降移動し、昇降路１内の寸法を自動計測する。
【００１７】
つまり、巻上装置２００は、昇降路１の天井又は上部の構造物に設置された巻上機２０１と、巻上機２０１に接続され、移動測定装置１００を懸架する紐２０２と、を有する。
【００１８】
なお、巻上装置２００は、巻上機２０１を駆動する巻上装置電源２０４と、移動計測装置１００と無線通信する通信装置２０３とを有する。
【００１９】
そして、移動計測装置１００は、レーザー走査式距離センサ等からなる水平方向の昇降路１内の寸法を計測する平面計測装置１０１と、自身の姿勢を検出する慣性計測装置（ＩＭＵ(inertial measurement unit)）等からなる姿勢検出装置１０２と、基準レーザー装置３００から照射されるレーザー光１０９を検出する光位置センサ等からなる基準レーザー検出装置１０３と、を有する。なお、姿勢計測装置１０１には、例えば、他にジャイロセンサ、磁気センサ、コンパス等がある。
【００２０】
さらに、移動計測装置１００は、平面計測装置１０１、姿勢検出装置１０２、及び基準レーザー検出装置１０３から得られる計測データに基づいて、昇降路１内の寸法や移動計測装置１００の昇降量などを演算する演算装置１０４と、自身の周囲を撮影するカメラ１０６と、巻上装置２００と無線通信する第１通信装置１０７と、作業者の携帯制御端末４００と無線通信する第２通信装置１０８と、移動計測装置１００に搭載される各種装置（平面計測装置１０１、姿勢検出装置１０２、基準レーザー検出装置１０３、演算装置１０４、カメラ１０６、第１通信装置１０７、第二通信装置１０８）を駆動する移動計測装置電源１０５と、を有する。
【００２１】
なお、演算装置１０４は、平面計測装置１０１、基準レーザー検出装置１０３および姿勢検出装置１０２から得られる計測データに基づいて、昇降路１内の寸法を演算する。
【００２２】
なお、基準レーザー装置３００は、レーザー光１０９を照射する基準レーザー照射器３０１と、基準レーザー照射器３０１が設置される基準レーザー取付台座３０２と、基準レーザー照射器３０１を駆動する基準レーザー装置電源３０３と、を有する。
【００２３】
本実施例では、移動計測装置１００を、例えば、昇降路１内を上方（下方）から下方（上方）へ移動させ、昇降路１内の寸法を計測する場合、まず、移動計測装置１００の基準レーザー検出装置１０３は、基準レーザー装置３００から照射されるレーザー光１０９を検出する。これにより、移動計測装置１００の昇降路１内における三次元座標を把握することができる。
【００２４】
つまり、昇降路１内の上部から最下部に向けて鉛直に照射されるレーザー光１０９を、計測基準とし、例えば、Ｘ軸方向とＹ軸方向とを有する面の方向を水平方向、及びＺ軸方向を鉛直方向とする場合、移動計測装置１００の昇降路１内におけるこの水平方向の位置、並びに鉛直方向の位置を把握することができる。なお、鉛直方向の位置については、巻上装置２００を使用し、把握することもできる。
【００２５】
また、移動計測装置１００の姿勢検出装置１０２は、Ｘ軸方向、Ｙ軸方向、およびＺ軸方向の３方向の角度(角速度)と加速度とから、自身の姿勢（傾き）を検出する。これにより、移動計測装置１００が、水平方向に対して、どの程度傾いているかを、検出することができる。つまり、移動計測装置１００の水平方向に対する傾きを把握することができる。
【００２６】
エレベーターを設置する前のエレベーターの昇降路１内では、その寸法を計測するための計測基準が重要である。そして、その計測基準に基づいて、水平方向の昇降路１内の寸法を計測する場合には、特に、移動計測装置１００の姿勢（傾き）が重要である。つまり、移動計測装置１００の姿勢（傾き）を把握することにより、水平方向の昇降路１内の寸法を正確に計測することができる。
【００２７】
このように、基準レーザー検出装置１０３と姿勢検出装置１０２とにより、移動計測装置１００の三次元座標（位置）及び三次元的な姿勢（傾き）を検出することができる。これにより、エレベーターを設置する前の昇降路１内の寸法を正確に計測することができる。
【００２８】
また、移動計測装置１００は、カメラ１０６により、昇降路１内の寸法を計測するタイミングを、自動的に認識することもできる。つまり、エレベーターを設置する前の昇降路１には、各階床部分とドアやかご戸が形成される部分（エレベーターを設置する前は空間、開口部（出入口周り））とが存在する。そこで、カメラ１０６により、階床部分を認識し、自動的に計測を開始することもできる。これにより、効率的な計測が可能となる。
【００２９】
また、移動計測装置１００は、移動計測装置１００の平面計測装置１０１から照射されるレーザー光１１１により、昇降路１内の寸法を計測するタイミングを、自動的に認識することもできる。つまり、エレベーターを設置する前の昇降路１には、各階床部分とドアやかご戸が形成される部分（エレベーターを設置する前は空間、開口部（出入口周り））とが存在する。そこで、平面計測装置１０１から照射されるレーザー光１１１により、階床部分を認識（平面計測装置１０１から照射されるレーザー光１１１は、階床部分により反射）し、自動的に計測を開始することもできる。これにより、効率的な計測が可能となる。
【００３０】
本実施例では、エレベーターを昇降路１内に設置する前に、昇降路１内の寸法を計測する。これは、昇降路１が、必ずしも設計図面情報通りに、建築されているとは限らず、建築誤差が存在するためである。例えば、昇降路１の中心軸が設計図面情報における中心軸からずれている場合や傾いている場合、また、ある階床の出入口が、出っ張り過ぎていたりする場合や引っ込み過ぎていたりする場合が想定されるためである。本実施例によれば、このような昇降路１においても、適切にエレベーターを設置する際の基準座標（絶対座標）を設定すると共に、移動計測装置１００の姿勢（傾き）を把握し、昇降路１内の寸法を正確に計測する。これにより、エレベーターを実際に設置する際に、エレベーターが昇降路１に干渉しないと共に、各階床の出入口とエレベーターとの隙間を適切に設置することができる。
【００３１】
図２は、本実施例に係る昇降路を上方から俯瞰した説明図である。
【００３２】
図２に記載される破線矢印は、移動計測装置１００の平面計測装置１０１が照射するレーザー光１１１の軌跡を示す。
【００３３】
基準レーザー装置３００から照射されるレーザー光１０９の位置を検出する基準レーザー検出装置１０３により、移動計測装置１００の昇降路１内における三次元座標を把握することができる。つまり、移動計測装置１００の高さ方向（Ｚ軸方向）、奥行方向（Ｙ軸方向）、幅方向（Ｘ軸方向）の座標を把握することができる。
【００３４】
また、姿勢検出装置１０２により、平面計測装置１０１が計測した計測データは、移動計測装置１００がどのような姿勢（どの程度の傾き）にて計測したものか算出することができる。つまり、姿勢検出装置１０２が検出した移動計測装置１００の傾き（計測データ）から、平面計測装置１０１が計測した計測データを補正し、水平方向の正確な距離を把握することができる。
【００３５】
なお、基準レーザー装置３００と移動計測装置１００との間の距離が大きい場合には、レーザー光１０９は、その距離の大きさに伴い広がってしまう。このような場合には、ビームコンプレッサー等を基準レーザー検出装置１０３の上部に設置することにより、広がったレーザー光１０９を収束させることができる。
【００３６】
また、平面計測装置１０１は回転し、水平方向の昇降路１内の寸法（距離）を計測する。そして、平面計測装置１０１は、レーザー光１１１を照射し、水平方向の昇降路１内の距離を測定する距離測定手段（図示なし）と、距離測定手段のレーザー光１１１の光軸を水平方向に走査させる回転手段（図示なし）とを有する。
【００３７】
本実施例によれば、レーザー光１０９を、昇降路１の上部から最下部に向けて鉛直に照射し、計測基準とする。昇降路１の上部から最下部に向けて鉛直に照射されるレーザー光１０９を計測基準とすることにより、各階床で計測した平面方向の昇降路１内の寸法を比較し、エレベーターを設置する際の基準座標を把握することができる。これにより、各階床間の昇降路１内の寸法を比較することができ、エレベーターが昇降路１に干渉せずに、各階床の出入口とエレベーターとの隙間を適切に保たせて、エレベーターを設置することができる。
【００３８】
また、移動計測装置１００を簡便に（昇降路１の上部のみに）設置することができ、作業者が各階床で計測する必要がないため、作業者の昇降移動に費やす大きな労力と時間を低減することができる。
【００３９】
このように、本実施例では、昇降路１内を昇降し、昇降路１内の寸法を自動計測する移動計測装置１００が、昇降路１内における基準座標や寸法を自動的に検出する。
【００４０】
図３は、本実施例に係る制御系統を説明する説明図である。
【００４１】
次に、昇降路内計測システム１０の制御系統について説明する。ここでは、移動計測装置１００と巻上装置２００とが連携して、自動計測する場合を示す。
【００４２】
まず、携帯制御端末４００は、指令値を、巻上装置２００に送信する。ここで、携帯制御端末４００が巻上装置２００に送信する指令値は、例えば、図１に示すような４階床建屋（１階床２ａ、２階床２ｂ、３階床２ｃ、４階床２ｄ）の昇降路１内の寸法を計測する場合には、各階床の高さ情報等である。
【００４３】
巻上装置２００では、巻上装置制御装置が、送信された指令値を受信し、受信した指令値を、駆動部（巻上機２０１）に、操作量として送信し、操作量に応じて駆動部は駆動する。例えば、駆動部は、紐２０２を送出し、移動計測装置１００を４階床２ｄの階床まで、移動する。そして、センサは、駆動部の駆動量を、状態量（例えば、４階床２ｄの階床の高さ情報）として検出し、この状態量を巻上装置制御装置に送信する。なお、巻上装置制御装置およびセンサは、図１には示されていないが、巻上装置２００に設置される。
【００４４】
巻上装置２００は、状態量を状態信号として、移動計測装置１００および携帯制御端末４００に送信する。
【００４５】
移動計測装置１００では、移動計測装置制御装置が、送信された状態信号（例えば、４階床２ｄの階床の高さ情報）を受信し、この状態信号を、演算部（演算装置１０４）に送信する。移動計測装置１００では、この状態信号の受信に基づき、平面計測装置１０１および姿勢検出装置１０２を駆動し、昇降路１内の寸法を計測する。計測された計測結果（計測データ）は、演算部に入力され、保存されると共に、携帯制御端末４００に送信される。なお、移動計測装置制御装置は、図１には示されていないが、移動計測装置１００に設置される。
【００４６】
その後、移動計測装置１００は、１階床分の昇降路１内の寸法の計測が終了したことを指令値として、巻上装置２００に送信する。
【００４７】
そして、巻上装置２００では、巻上装置制御装置が、送信された指令値を受信し、受信した指令値を、駆動部に、操作量として送信し、操作量に応じて駆動部は駆動する。例えば、駆動部は、紐２０２を送出し、移動計測装置１００を３階床２ｃの階床まで駆動する。そして、センサは、駆動部の駆動量を、状態量（例えば、３階床２ｃの階床の高さ情報）として検出し、この状態量を巻上装置制御装置に送信する。
【００４８】
そして、移動計測装置１００では、移動計測装置制御装置が、送信された状態信号（例えば、３階床２ｃの階床の高さ情報）を受信し、この状態信号を、演算部に送信する。移動計測装置１００では、この状態信号の受信に基づき、平面計測装置１０１および姿勢検出装置１０２を駆動し、昇降路１内の寸法を計測する。計測された計測結果は、演算部に入力され、保存されると共に、携帯制御端末４００に送信される。
【００４９】
また、移動計測装置１００では、例えば、移動計測装置１００の基準レーザー検出装置１０３により検出された高さ情報を、巻上装置２００の巻上機２０１（駆動部）に送信し、移動したい高さ情報（操作量）を指令し、移動計測装置１００を昇降移動することもできる。
【００５０】
このように、移動計測装置１００と巻上装置２００とは、移動計測装置１００が巻上装置２００からの状態信号を受信し、移動計測装置１００は巻上装置２００への指令値を送信し、移動計測装置１００と巻上装置２００との間で、自動計測を実施する制御系統を形成する。
【００５１】
なお、作業者が所持する携帯制御端末４００は、巻上装置２００への移動指示（指令値）や移動計測装置１００への計測指示を送信し、計測結果を受信し、表示する。
【００５２】
図４は、本実施例に係る作業フローを説明する説明図である。
【００５３】
始めに、計測準備として、巻上装置２００及び基準レーザー装置３００を、昇降路１の天井または上部の構造物に設置（装置設置）する。その際に、紐２０２の一端に、移動計測装置１００を係合し、懸架させる（S１１）。
【００５４】
次に、巻上装置２００、基準レーザー装置３００、移動計測装置１００、及び携帯制御端末４００の電源を投入し、通信を確認する（S１２）。
【００５５】
次に、作業者が所持する携帯制御端末４００から計測設定（指令値の送信）を行う（S１３）。
【００５６】
次に、自動計測モードに移行する（S１４）。
【００５７】
その後、例えば、移動計測装置１００に搭載されるカメラ１０６により撮影された映像や既知の昇降路１の設計図面情報から昇降路１の最上階の開口部（出入口周り）（例えば４階床２ｄ）まで、紐２０２を伸ばし、移動計測装置１００を移動させる（S１５）。
【００５８】
移動計測装置１００が計測する高さに達したら、静止し、基準レーザー検出装置１０３と平面計測装置１０１とを起動させ、水平（平面）方向の点群データ（計測データ）を取得すると同時に、基準レーザー検出装置１０３により検出した基準レーザー１０９の位置（計測基準）を取得する（S１６）。
【００５９】
以上の作業（S１５及びS１６の作業）を各階床の開口部（出入口周り）で繰り返す（S１７）。これにより、各階床における計測基準から水平（平面）方向の昇降路１内の寸法（計測基準から各壁面までの距離や開口部（出入口回り）までの距離等）の寸法（距離：計測データ）が計測される。
【００６０】
一連の作業が終了した後、各階床で取得した水平（平面）方向の点群データと基準レーザー１０９の位置とを比較し、各階床の水平（平面）方向の点群データの相対位置を算出する（S１８）。なお、姿勢検出装置１０２にて計測された移動計測装置１００（具体的には平面計測装置１０１）の傾き（計測データ）を使用して、平面計測装置１０１が計測した計測データを補正する。
【００６１】
そして、その水平（平面）方向の点群データの相対位置からエレベーターを設置するために、最適な基準座標を算出する（S１９）。
【００６２】
最後に、作業者が所持する携帯制御端末４００に計測結果を表示する（S２０）。
【００６３】
このように、本実施例によれば、昇降路１内の上部から最下部に向けて鉛直に照射したレーザー光１０９を、移動計測装置１００に搭載した基準レーザー検出装置１０３により検出することにより、昇降路１内を昇降する移動計測装置１００の昇降路１内における計測基準を把握することができる。また、移動計測装置１００に搭載した姿勢検出装置１０２により、自身の姿勢（傾き）を検出することにより、エレベーターを設置する前の昇降路１内の寸法を正確に計測することができ、エレベーターを設置する際の最適な基準座標を正確に把握することができる。
【００６４】
このため、各階床における計測した昇降路１の平面方向の計測データの相対関係を演算することができる。また、移動計測装置１００を簡便に設置することができ、作業者が各階床で計測する必要がないため、作業者の昇降移動に費やす大きな労力と時間を低減することができる。
【実施例２】
【００６５】
図５は、実施例２に係る基準レーザー装置を説明する説明図である。
【００６６】
基準レーザー装置３００は、昇降路１の天井又は上部の構造物に設置される。しかしながら、基準レーザー取付台座３０２を、必ずしも水平に設置できるとは限らない場合がある。このような場合には、基準レーザー１０９を鉛直方向に照射させるため工夫する必要がある。
【００６７】
そこで、図５に示すように、基準レーザー装置３００は、基準レーザー照射器３０１を紐３０４にて懸架する。そして、基準レーザー照射器３０１は基準レーザー把持部３０５に設置され、基準レーザー把持部３０５には複数の紐３０６にて錘３０７が懸架される。基準レーザー照射器３０１が、紐３０４で懸架されることにより、基準レーザー照射器３０１は常に重力方向（鉛直方向）に向くことになる。
【００６８】
つまり、本実施例に記載する基準レーザー装置３００は、昇降路１の天井又は上部の構造物から紐３０４にて懸架された基準レーザー把持部３０５と、基準レーザー把持部３０５に設置された基準レーザー照射器３０１と、基準レーザー把持部３０５から複数の紐３０６で懸架され、中心部に開口部がある錘３０７と、を有する。
【００６９】
このように懸架された基準レーザー照射器３０１の振れを抑制するため、基準レーザー照射器３０１の重量よりも十分に重い錘３０７を複数の紐３０６にて基準レーザー把持部３０５から懸架させる。なお、錘３０７の中央には、レーザー光１０９を通過させるための穴が形成される。さらに、昇降路１内に吹き込む風の影響を抑制するため、基準レーザー照射器３０１を覆う風防３０８を有する。エレベーターを設置する前の昇降路１内には、風が吹き込む場合があるためである。
【００７０】
これにより、昇降路１内に吹き込む風の影響を抑制することができ、昇降路１内の上部から最下部に向けてレーザー光１０９を正確に照射することができ、昇降路１内を昇降する移動計測装置１００の昇降路１内における計測基準をより正確に把握することができる。
【実施例３】
【００７１】
図６は、実施例３に係る昇降路内計測システムを説明する説明図である。
【００７２】
本実施例に記載する移動計測装置１００は、昇降路１内に吹き込む風が影響しそう場合、または、移動計測装置１００の前後左右の揺れや紐２０２の捻じれによる回転が発生しそうな場合であっても、安定的に計測することができるものである。
【００７３】
つまり、図６に記載する移動計測装置１００は、昇降路１内の壁面に接触するための接触装置１１０を有する。接触装置１１０は、壁面に対し２点以上の接触部１１２と伸縮可能なアーム１１４とを有し、移動計測装置１００と壁面との間の距離、及び、移動計測装置１００の姿勢を制御する。更に、接触装置１１０が移動計測装置１００に設置される取付軸１１３に対して回転可能である。これにより、基準レーザー装置３００から照射されたレーザー光１０９を基準レーザー検出装置１０３にて検出可能な位置及び姿勢に設置することができる。
【００７４】
なお、接触部１１２は、例えば、タイヤのような回転体であることが好ましい。
【００７５】
また、紐２０２の繰出し点（巻取り点）を通る鉛直線上とは異なる位置（壁面に対して垂直方向に離れる位置）にて、移動計測装置１００が紐２０２にて懸架される。これにより、移動計測装置１００の重心位置が、紐２０２の繰出し点（巻取り点）を通る鉛直線上とは異なる位置（壁面に対して垂直方向に離れる位置）に存在する。これにより、移動計測装置１００は、昇降路１内の壁面に接触装置１１０を介して寄り掛かるように接触するため安定する。
【００７６】
なお、移動計測装置１００が昇降移動する際は、必ずしも壁面に接触し続ける必要は無く、計測する時のみ、接触装置１１０を使用して移動計測装置１００を壁面に接触させ、安定化させれば良い。
【００７７】
なお、本実施例では、接触装置１１０を、ドアやかご戸が形成される部分に対して奥行方向の壁面に接触させた場合を示したが、接触装置１１０が壁面に接触する位置は、これに限定されるものではなく、開口部（出入口回り）に近い壁面や幅方向の側面に接触させてもよい。
【実施例４】
【００７８】
図７は、実施例４に係る作業指示システムを説明する説明図である。
【００７９】
実施例１では、昇降路１内の寸法を計測するために、昇降路内計測システム１０を使用したが、本実施例では、昇降路内計測システム１０を、作業者５００がエレベーターの構造物（部品）を昇降路１内に設置する際の作業指示システムとして使用することもできることを示す。
【００８０】
図７に示すように、昇降路１内で作業する作業者５００は、複数の揚重機５０２のロープ５０３で懸架された作業台５０１に乗り、エレベーターの構造物（部品）を設置する。なお、図７に記載される破線矢印は、移動計測装置１００の平面計測装置１０１が照射するレーザー光１１１の軌跡を示す。
【００８１】
なお、移動計測装置１００の平面計測装置１０１から照射されるレーザー光１１１は、例えば、ミラーやプリズム等を使用して屈折させてもよく、また、サーボモータ等を使用して平面計測装置１０１を傾斜させ、レーザー光１１１を斜めに照射してもよい。
【００８２】
図７は、エレベーターの構造物（部品）としてブラケット５０４を、作業者５００が壁面に設置する場面を示す。移動計測装置１００の平面計測装置１０１を使用して、ブラケット５０４の設置位置をレーザー光１１１で点や線（レーザーけがき）で投影する。作業者５００は、このようにレーザー光１１１にて投影された点や線を目安にブラケット５０４を設置する。
【００８３】
本実施例では、レーザー光１１１を投影してブラケット５０４を設置したが、プロジェクター等を移動計測装置１００に搭載し、設置位置の補助となる画像（イメージ図）を投影しても良い。
【００８４】
つまり、本実施例に記載する移動計測装置１００は、昇降路１内の壁面にエレベーターの構造物（部品）の設置位置を投影する装置を有する。これにより、昇降路内計測システム１０を、作業者５００がエレベーターの構造物（部品）を昇降路１内に設置する際の作業指示システムとして使用することもできる。
【００８５】
なお、本発明は、上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。
【符号の説明】
【００８６】
１…昇降路
２a…１階床
２b…２階床
２c…３階床
２d…４階床
１０…昇降路内計測システム
１００…移動計測装置
１０１…平面計測装置
１０２…姿勢検出装置
１０３…基準レーザー検出装置
１０４…演算装置
１０５…移動計測装置電源
１０６…カメラ
１０７…第一通信装置
１０８…第二通信装置
１０９…レーザー光
１１０…接触装置
１１１…レーザー光
１１２…接触部
１１３…取付軸
１１４…アーム
２００…巻上装置
２０１…巻上機
２０２…紐
２０３…通信装置
２０４…巻上装置電源
３００…基準レーザー装置
３０１…基準レーザー照射器
３０２…基準レーザー取付台座
３０３…基準レーザー装置電源
３０４…紐
３０５…基準レーザー把持部
３０６…紐
３０７…錘
３０８…風防
４００…携帯制御端末
５００…作業者
５０１…作業台
５０２…揚重機
５０３…ロープ
５０４…ブラケット
【図１】
2020059568.tif 000003
【図２】
2020059568.tif 000004
【図３】
2020059568.tif 000005
【図４】
2020059568.tif 000006
【図５】
2020059568.tif 000007
【図６】
2020059568.tif 000008
【図７】
2020059568.tif 000009